(57)【要約】【課題】主に自動車の空調や音響機器等の操作に用いられるスイッチ装置に関し、防水・防塵性に優れ、安定した動作の可能なものを提供することを目的とする。【解決手段】ケース１１の保持部１１Ａ内周に内方へ突出する係止部１１Ｂを設けると共に、保持部１１Ａに上下動可能に装着されたボタン１２下面の押圧部１２Ａに、係止部１１Ｂが挿入される係合孔１２Ｂを設けてスイッチ装置を構成することによって、ケース１１の保持部１１Ａ内でボタン１２が係合され、ケース１１上面には開口孔等が不要となるため、防水・防塵性に優れ、安定した動作の可能なものを得ることができる。【選択図】図１
2005197105.tif 000002
【特許請求の範囲】
【請求項１】
上方へ突出する中空筒状の保持部を有するケースと、この保持部に上下動可能に装着されたボタンと、このボタン下面に突出した押圧部に押圧されて電気的接離を行うスイッチ接点からなり、上記ケースの保持部内周に内方へ突出する係止部を設けると共に、上記ボタンの押圧部に上記係止部が挿入される係合孔を設けたスイッチ装置。
【発明の詳細な説明】
【技術分野】
【０００１】
本発明は、主に自動車の空調や音響機器等の操作に用いられるスイッチ装置に関するものである。
【背景技術】
【０００２】
近年、車室内のフロントパネル部に複数のボタンが配列されたスイッチ装置を配置し、これによってエアコンやオーディオ等の各種電子機器の操作を行うことが一般的となっている。
【０００３】
このような従来のスイッチ装置について、図５〜図７を用いて説明する。
【０００４】
図５は従来のスイッチ装置の断面図、図６は同分解斜視図であり、同図において、１は絶縁樹脂製のケース、２は同じく絶縁樹脂製の複数のボタンで、ケース１には上方へ突出する中空筒状の複数の保持部１Ａが設けられると共に、この保持部１Ａ外周四側面には爪状で複数の係止部１Ｂが設けられている。
【０００５】
また、ボタン２の四側面には複数の係合孔２Ａが設けられ、この係合孔２Ａに係止部１Ｂが挿入されて、ボタン２が保持部１Ａに対し上下動可能に装着されている。
【０００６】
そして、３は上下面に複数の導電パターン（図示せず）が形成された配線基板で、この上面に複数のプッシュスイッチ４が実装されてスイッチ接点が形成されている。
【０００７】
さらに、ボタン２下面には下方へ突出し、下端がプッシュスイッチ４に当接する押圧部２Ｂが設けられ、これらプッシュスイッチ４や配線基板３上面をケース１が覆って、スイッチ装置が構成されている。
【０００８】
以上の構成において、図７の断面図に示すように、例えば右側のボタン２を下方へ押圧操作すると、ボタン２が下方へ移動し下面の押圧部２Ｂが右側のプッシュスイッチ４を押圧して、スイッチの電気的接離が行われ、ボタン２への押圧力を解除すると、プッシュスイッチ４の復帰力によって図５の状態に戻るように構成されている。
【０００９】
なお、このような構成のスイッチ装置においては、ボタン２をケース１に装着するために保持部１Ａ外周に爪状の係止部１Ｂが設けられているが、このような部分的に突出する係止部１Ｂを上下二つの金型で成形加工する際には、保持部１Ａ外周に沿って係止部１Ｂ下端まで延出するピン（図示せず）が必要となる。
【００１０】
従って、こうした金型でケース１を成形加工した場合、図５や図６に示したように、ケース１上面の保持部１Ａ根元には、このピンが挿通した係止部１Ｂとほぼ同じ幅の開口孔１Ｃが形成される。
【００１１】
また、これに代えて、ケース１の成形加工時に、保持部１Ａの外周四側面に対して前後左右方向へ移動するスライドピンを金型に設けても、係止部１Ｂの成形加工は可能であるが、上記のようにケース１上方へ複数の保持部１Ａが突出し、その間隔が狭い場合には、金型構造が複雑となり加工も困難となる。
【００１２】
なお、この出願の発明に関連する先行技術文献情報としては、例えば、特許文献１が知られている。
【特許文献１】特開２００１−２８３６７３号公報
【発明の開示】
【発明が解決しようとする課題】
【００１３】
しかしながら、上記従来のスイッチ装置においては、ケース１上面の保持部１Ａ根元に開口孔１Ｃが形成されているため、これを車室内に装着し空調や音響機器等の操作に用いた場合、この開口孔１Ｃから水や塵埃等がスイッチ内へ侵入し易く、スイッチ動作に支障をきたす場合があるという課題があった。
【００１４】
本発明は、このような従来の課題を解決するものであり、防水・防塵性に優れ、安定した動作の可能なスイッチ装置を提供することを目的とする。
【課題を解決するための手段】
【００１５】
上記目的を達成するために本発明は、ケースの保持部内周に内方へ突出する係止部を設けると共に、保持部に上下動可能に装着されたボタン下面の押圧部に、係止部が挿入される係合孔を設けてスイッチ装置を構成したものであり、ケースの保持部内でボタンが係合され、ケース上面には開口孔等が不要となるため、防水・防塵性に優れ、安定した動作の可能なスイッチ装置を得ることができるという作用を有する。
【発明の効果】
【００１６】
以上のように本発明によれば、防水・防塵性に優れ、安定した動作の可能なスイッチ装置を実現することができるという有利な作用が得られる。
【発明を実施するための最良の形態】
【００１７】
以下、本発明の実施の形態について、図１〜図４を用いて説明する。
【００１８】
なお、背景技術の項で説明した構成と同一構成の部分には同一符号を付して、詳細な説明を簡略化する。
【００１９】
（実施の形態）
図１は本発明の一実施の形態によるスイッチ装置の断面図、図２はこれと直交方向の断面図、図３は同分解斜視図であり、同図において、１１はＡＢＳやポリアセタール等の絶縁樹脂製のケース、１２はＡＢＳやポリカーボネート等の絶縁樹脂製の複数のボタンで、ケース１１には上方へ突出する中空筒状の複数の保持部１１Ａが設けられると共に、この保持部１１Ａ内周には内方へ突出する係止部１１Ｂが設けられている。
【００２０】
また、ボタン１２下面には下方へ突出した押圧部１２Ａが設けられると共に、この押圧部１２Ａには係合孔１２Ｂが設けられ、この係合孔１２Ｂに係止部１１Ｂが挿入されて、ボタン１２が保持部１１Ａに対し上下動可能に装着されている。
【００２１】
そして、３は紙フェノールやガラス入りエポキシ等の配線基板で、上下面に複数の導電パターン（図示せず）が形成されると共に、上面に複数のプッシュスイッチ４が実装されてスイッチ接点が形成されている。
【００２２】
さらに、このプッシュスイッチ４にボタン１２下面の押圧部１２Ａ下端が当接すると共に、これらプッシュスイッチ４や配線基板３上面をケース１１が覆って、スイッチ装置が構成されている。
【００２３】
つまり、本発明のスイッチ装置においては、ケース１１やボタン１２を上下二つの金型で成形加工する際、係止部１１Ｂはケース１１の上金型と下金型で容易に形成できると共に、係合孔１２Ｂはボタン１２金型内でのスライドピンの前後方向への移動によって形成できるように構成されている。
【００２４】
従って、ケース１１上方へ突出する複数の保持部１１Ａの間隔が狭い場合でも、成形加工が可能であると共に、成形加工時のピンの挿通による開口孔等も形成されないため、ケース１１上面の密閉性を保つことができる。
【００２５】
以上の構成において、図４の断面図に示すように、例えば右側のボタン１２を下方へ押圧操作すると、ボタン１２が下方へ移動し下面の押圧部１２Ａが右側のプッシュスイッチ４を押圧して、スイッチの電気的接離が行われ、ボタン１２への押圧力を解除すると、プッシュスイッチ４の復帰力によって図１の状態に戻るように構成されている。
【００２６】
このように本実施の形態によれば、ケース１１の保持部１１Ａ内周に内方へ突出する係止部１１Ｂを設けると共に、保持部１１Ａに上下動可能に装着されたボタン１２下面の押圧部１２Ａに、係止部１１Ｂが挿入される係合孔１２Ｂを設けてスイッチ装置を構成することによって、ケース１１の保持部１１Ａ内でボタン１２が係合され、ケース１１上面には開口孔等が不要となるため、防水・防塵性に優れ、安定した動作の可能なスイッチ装置を得ることができるものである。
【００２７】
なお、以上の説明では、配線基板３上面に複数のプッシュスイッチ４を実装してスイッチ接点を形成した構成について説明したが、配線基板３上面にカーボン等によって固定接点を形成すると共に、この上に薄板銅合金製でドーム状の可動接点を載置したり、或いは、可動接点と固定接点を各々形成した上下シートを対向させる構成等、様々なスイッチ接点の構成においても本発明の実施は可能である。
【産業上の利用可能性】
【００２８】
本発明によるスイッチ装置は、防水・防塵性に優れ、安定した動作の可能なスイッチ装置を実現でき、主に自動車の空調や音響機器等の操作用スイッチ装置として有用である。
【図面の簡単な説明】
【００２９】
【図１】本発明の一実施の形態によるスイッチ装置の断面図
【図２】同断面図
【図３】同分解斜視図
【図４】同操作時の断面図
【図５】従来のスイッチ装置の断面図
【図６】同分解斜視図
【図７】同操作時の断面図
【符号の説明】
【００３０】
３  配線基板
４  プッシュスイッチ
１１  ケース
１１Ａ  保持部
１１Ｂ  係止部
１２  ボタン
１２Ａ  押圧部
１２Ｂ  係合孔
【図１】
2005197105.tif 000003
【図２】
2005197105.tif 000004
【図３】
2005197105.tif 000005
【図４】
2005197105.tif 000006
【図５】
2005197105.tif 000007
【図６】
2005197105.tif 000008
【図７】
2005197105.tif 000009